(57)【特許請求の範囲】
【請求項１】
濾過式集塵機の前段に接続して、含塵空気中から火災の発生原因となるヒューム粉塵やその他の各種ダスト類を除去するプレダスト分離器であって、
全体を円筒状に形成した吸引管部の上部接線方向に含塵空気の供給管を接続し、この吸引管部の内部下側には、上端口を吸引管部の風路に向けて上向きに開口した状態で設けた上記集塵機に通じる排気ダクトと、上記の風路から落下して来るダスト類を受入れる密閉型のダストボックスとを、縦方向に配置して設ける一方、上記吸引管部の上部風路内には、上端面の径が最も細く、下端面に向けて序々に太径と成る全体が略円錐柱形状を成す内筒体を設けると共に、前記排気ダクトの上端口を上記内筒体の底面に向けて間隔を保った状態で突出し、且つ、上記内筒体の底面の径を上記排気ダクトの上端口の径よりも大きく形成したことを特徴とするプレダスト分離器。
【請求項２】
吸引管部の上部風路内に設ける内筒体の全体を、上端面の径が最も細く、下端面に向けて序々に太径と成る略円錐柱形状に形成する一方、当該内筒体の外形を、接線方向に接続した供給管を通して円周方向に旋回する状態で流入されて来る含塵空気が旋回を始める流入側側面の傾斜が、垂線に対して比較的なだらかな角度の傾斜面に形成され、且つ、この流入側とは反対側の側面の傾斜が、垂線に対して比較的急な角度の傾斜面に形成されると共に、上記内筒体の中心が、含塵空気の流入側とは反対の方向に偏心させて設けられていることを特徴とする請求項１記載のプレダスト分離器。
【発明の詳細な説明】
【０００１】
【発明の属する技術分野】
本発明は、フイルタを使用した濾過式集塵機の前段に接続して、含塵空気中から火災の原因となるヒューム粉塵（火花粉塵）や、その他油滴や金属粉或は一般の粉塵類（以下単にダスト類と云う）を分離捕集するプレダスト分離器に関するものである。
【０００２】
【従来の技術】
濾過式集塵機の前段に接続して火花粉塵等を分離捕集して、集塵機の火災を防止することができるプレダスト分離器（プレダストボックス）には、従来より例えば実開昭５７−１２２１２号公報、同５７−３５７２３号公報、同５７−３５７２４号公報等に記載されているようなものが存在し、これ等はいずれも不燃性のフイルタを用いてダスト類を分離・捕集するものであって、特に火の粉等の火災の原因となるダスト類の捕集に優れた効果を発揮できるものである。
【０００３】
一方、実開昭６３−１３６７４７号公報や同６４−３６０２５号公報には、サイクロンや遠心力を使用したプレダスト分離器が開示されていて、いずれも濾過式集塵機の前段に接続して各種ダスト類や火災の危険がある火の粉等を分離・捕集することを可能にしている。
【０００４】
【発明が解決しようとする課題】
しかし、上記従来のプレダスト分離器のうち、不燃性のフイルタを用いる前者のものは、フイルタのコストが高く、また、フイルタの目詰りで気体の流れが阻害されて性能が低下する問題があり、更に上記サイクロンや遠心力を用いる後者のものは、ダストボックス側に落下・回収された火の粉が気流に乗って再び舞い上がる現象を完全に防止することができず、火災の危険が残る問題があった。
【０００５】
そこで本発明の技術的課題は、不燃性のフイルタを使用せずに火の粉等のダスト類を確実に分離・捕集でき、而かも、ダストボックス側に落下・回収される火の粉等が再び舞い上がることがなく、濾過式集塵機の火災発生を確実に防止することができるプレダスト分離器を提供することである。
【０００６】
【課題を解決するための手段】
上記の技術的課題を解決するために本発明で講じた手段は以下の如くである。
【０００７】
濾過式集塵機の前段に接続して、含塵空気中から火災の発生原因となるヒューム粉塵やその他の各種ダスト類を除去するプレダスト分離器であって、
【０００８】
（１）  全体を円筒状に形成した吸引管部の上部接線方向に含塵空気の供給管を接続し、この吸引管部の内部下側には、上端口を吸引管部の風路に向けて上向きに開口した状態で設けた上記集塵機に通じる排気ダクトと、上記の風路から落下して来るダスト類を受入れる密閉型のダストボックスとを、縦方向に配置して設ける一方、上記吸引管部の上部風路内には、上端面の径が最も細く、下端面に向けて序々に太径と成る全体が略円錐柱形状を成す内筒体を設けると共に、前記排気ダクトの上端口を上記内筒体の底面に向けて間隔を保った状態で突出し、且つ、上記内筒体の底面の径を上記排気ダクトの上端口の径よりも大きく形成したことを特徴としている。（請求項１）
【０００９】
（２）  吸引管部の上部風路内に設ける内筒体の全体を、上端面の径が最も細く、下端面に向けて序々に太径と成る略円錐柱形状に形成する一方、当該内筒体の外形を、接線方向に接続した供給管を通して円周方向に旋回する状態で流入されて来る含塵空気が旋回を始める流入側側面の傾斜が、垂線に対して比較的なだらかな角度の傾斜面に形成され、且つ、この流入側とは反対側の側面の傾斜が、垂線に対して比較的急な角度の傾斜面に形成されると共に、上記内筒体の中心が、含塵空気の流入側とは反対の方向に偏心させて設けられていることを特徴としている。（請求項２）
【００１０】
上記（１）で述べた請求項１に係る手段によれば、後段側の濾過式集塵機の吸引作用を受けて接線方向に接続した供給管から吸引管部の内部に流入して来る含塵空気を、円筒状に構成した吸引管部の内側面に沿って旋回させながら風路内に進行させることができると共に、この吸引管部の風路内には、全体を略円錐柱形状に形成した内筒体が設けられているため、供給管から流入して来る上記含塵空気の旋回状態をこの円錐柱の側面にガイドさせてより確実なものにして、その遠心力によって質量のあるミスト・ダストを風路の外壁に沿って旋回させながら下降する一方、質量の少ない又は無いミスト・ダストを内筒体の側面に沿って旋回させながら下降して、下側のダストボックス内に落下・回収することを可能にする。
【００１１】
更に上記（１）で述べた手段によれば、流入した含塵空気を旋回させる内筒体の底面の径を、排気ダクトの上端口の径よりも大径に造ることにより、これ等底面と上端口の間の間隔に略Ｓ字状の迂回通路を構成しているため、上記内筒体の側面に沿って旋回しながら進んで来た気流中から、ミスト・ダクトを含まない空気のみをこの迂回通路に沿わせて降下させ、上記上端口より排気ダクトを通って集塵機側へ吸引させることを可能にする。
【００１２】
上記（２）で述べた請求項２に係る手段によれば、供給管から吸引管部の中に流入して来る含塵空気は、風路内に設けた略円錐柱形状の内筒体に案内されて円周方向に旋回されながら次第に下方へ進行するものであるが、この時、内筒体の側面は流入側の傾斜を垂線に対して比較的ゆるやかに、反対面側の傾斜を垂線に対して比較的急な角度に傾斜させて、中心を上記含塵空気の流入側とは反対の方向に偏心させた関係で、供給管を通して流入して来る含塵空気を、吸引管部の比較的広い空間部内（風路）に抵抗なく送り込んで旋回させることができるものであって、送り込んだ含塵空気が反対方向に逆流することがなく、内筒体の周面に沿って全て同一方向に円滑に旋回させることができるため、流入した含塵空気を極力少ない抵抗下で充分に旋回させて、ミスト・ダストを確実に分離、捕集することを可能にする。
【００１３】
以上の如くであるから、上記（１）と（２）で述べた手段によって上述した技術的課題を解決して、前記従来の技術の問題点を解消することができる。
【００１４】
【発明の実施の形態】
以下に、本発明に係る集塵装置の実施の形態を、添付した図面と共に詳細に説明する。
【００１５】
図１は本発明に係るプレダスト分離器の内部構造を説明した側断面図であって、図中、１はプレダスト分離器の機体、４はこの機体１の上部に設けた全体が円筒状を成す含塵空気の吸引管部、２Ｈはこの吸引管部４の側面に開口した含塵空気の供給口、２Ｋはこの供給口２Ｈから吸引されて来る含塵空気を吸引管部４内で円周方向に旋回できるように、供給口２Ｈに対して接線方向に接続した含塵空気の供給管、１０は上記吸引管部４の上端内側で、而かも、図面上手前側に設けた仮想線で示す上記供給口２Ｈの内側部分に取付けた、全体が略円錐柱形状に形成された内筒体であって、供給口２Ｈから流入して来る含塵空気は、この内筒体１０の円錐状の側面にガイドさせて旋回するように構成されている。
【００１６】
即ち、上記の内筒体１０は、図示の如く上端面の径が最も細く、下端面に向けて序々に太径となる略円錐柱形状に形成されていて、細径に造った上端面を上記吸引管部４の天井面に固定することにより、全体を吸引管部４の上端内側に吊下げ状態に取付けられている。
【００１７】
従って、図１に示す構成によれば、円筒状の吸引管部４の内部に内筒体１０に相対する形状、即ち、上側部を広く、下端口４Ｔを狭く絞った構造の風路４Ｒ′が形成されて、質量のあるミスト・ダストＭＲと質量の少い又は無いミスト・ダストＭＬを分離して回収出来ると共に、機体１の内部構造を大幅に簡略化できる特徴を備えている。
【００１８】
更に図１に於いて、１０Ｂは上述のように略円錐柱形状に形成された内筒体１０のうち、供給管２Ｋを通して図面上手前側に設けた上記の供給口２Ｈから流入して来る含塵空気が旋回を始める側（流入側）の側面、１０Ａはその反対側の側面であって、内筒体１０は図示したように流入側の側面１０Ｂの傾斜を垂線に対して比較的大きな角度でゆるやかに形成しているのに対して、反対側の側面１０Ａの傾斜は垂線に対して比較的小さな角度で急斜面に形成されると共に、その中心を上記含塵空気の流入側とは反対方向、即ち、吸引管部４の中心線ＳＬに対して図面上少し左側に偏心させた状態の斜円錐柱形状に造られているため、供給口２Ｈから送り込まれて来る含塵空気を図面右上方の広い空間内にスムーズに受入れた後、逆流等を引き起こすことなく内筒体１０を中心に図面上反時計回転方向に円滑に旋回させることができるものであって、含塵空気を少い圧力損失の基で効果的に旋回出来る仕組に成っている。
【００１９】
更に図中、７は濾過式の集塵機（図示せず）に通じる排気ダクトであって、機体１内に取付けたこの排気ダクト７の上端口７Ｘが、図示の如く当該上端口７Ｘよりも大径に形成した上記内筒体１０の底面（下端面）に向けて間隔１１を保った状態で、且つ、上記吸引管部４の中心線ＳＬに対して同軸的に突出されていて、この間隔１１が略Ｓ字状（図面では逆Ｓ字状）の迂回通路を構成している。
【００２０】
同じく図１に於いて、１Ｘは上記機体１の下側部に連設したダスト回収室１Ｖの内底部分に設けたミスト・ダストＭを回収するための密閉型のダストボックス、７Ａは上記排気ダクト７の上端口７Ｘの下側部分に設けた円錐ガイド、６Ｈはこの円錐ガイド７Ａによって構成された上記風路４Ｒ’の下端口４Ｔに通じるポケット部、６Ｔは円錐ガイド７Ａの下端部と機体１の内壁との間の狭い落下通路であって、風路４Ｒ’の下端口４Ｔから旋回しながら落ちて来るミスト・ダストは、ポケット部６Ｈを通ってこの狭い落下通路６Ｔから下側のダストボックス１Ｘに落下・回収される仕組に成っている。
【００２１】
本発明に係るプレダスト分離器は以上述べた如き構成であるから、集塵機の運転によって図１に示したような供給管２Ｋによる接線方向からの供給によって、円周方向に旋回しながら略円錐状の末すぼまり状の風路４Ｒ’内に吸引進行した含塵空気は、その遠心旋回作用によって質量のあるミスト・ダストＭＲ…を４Ｒ’の外壁側に分離し、この外壁に沿わせた状態で下端口４Ｔに向けて進行させ、遠心旋回作用を受けない質量の少い又は無いミスト・ダストＭＬ…を含んだ気体を内筒体１０の外側面に沿わせた状態で同じく下端口４Ｔに向けて進行させる。
【００２２】
次いで、上記の下端口４Ｔを出た質量のあるミスト・ダストＭＲ…は、慣性力によって吸引管部４の内壁面に沿って旋回しながら図面上下側方向に進行した後、ポケット部６Ｈから狭い落下通路６Ｔを通って広い機体１内に流れ込んで失速するため、そのまま下側に設けたダストボックス１Ｘ内に落下、回収される。
【００２３】
一方、質量の少い又は無いミスト・ダストＭＬ…は、慣性力がなく、殆どそのままダストボックス１Ｘ側に落下、回収され、ミスト・ダストＭＲ及びＭＬを分離・捕集した気体のみが排気ダクト７を通って集塵機側に吸引されるのであるが、この吸引排気中に質量のない極細ミストが含まれていたとしても、これを集塵機の濾過フイルタが濾過してクリーンな気体のみを排気することができる。
【００２４】
また、集塵機によって吸引される気体の流れは管路の最短部を流れる性質を備えていて、円錐状の内筒体１０の底面部分を最短の流路として流れ、且つ、流速も最も速いため、風路４Ｒの内壁側を旋回しながら進んだミスト・ダストを含まない空気のみが、間隔１１の部分を前記略Ｓ字状の迂回通路に沿って降下し、次いで、排気ダクト７を通って集塵機側へ吸引される。
【００２５】
更に、上述の如く分離されたミスト・ダストＭＲ，ＭＬは、円錐ガイド７Ａにガイドされて下方のダストボックス１Ｘに容易に落下し、また、この円錐ガイド７Ａによってダストの落下通路６Ｔが狭く造られているため、ダストボックス１Ｘ側に落下した火の粉等が再び舞い上がって排気ダクト７側に吸引されることがなく、集塵機側の火災発生を確実に防止することができる。
【００２６】
【発明の効果】
本発明に係るプレダスト分離器は以上述べた如くであって、不燃性のフイルタを使用することなく、ミスト・ダストや火花粉塵と云ったいずれのダスト類も集塵機の濾過フイルタに到達させずに、管路の途中でダストボックス側に落下、回収できるから、安いコストにて集塵機側の火災発生を防止できるプレダスト分離器を提供できると共に、ダスト類の殆どを分離・捕集してしまうため、集塵機側の濾過フイルタの負担を軽くしてその寿命を長くできる特徴を備えている。
【図面の簡単な説明】
【図１】  本発明に係るプレダスト分離器の内部構造を説明した側断面図である。
【符号の説明】
１                プレダスト分離器の機体
１Ｘ              ダストボックス
２Ｋ              供給管
４                吸引管部
４Ｒ’            風路
６Ｔ              狭い落下通路
７                排気ダクト
７Ａ              円錐ガイド
１０              略円錐柱形状の内筒体
１０Ａ            反対側の側面
１０Ｂ            流入側の側面
ＭＲ              質量のあるミスト・ダスト
ＭＬ              質量の少いミスト・ダスト
【図１】
0003786774.tif 000002